(57)【要約】【課題】インスツルメントホースの引き戻し力が術者の手首にかかる負担をなくす。【解決手段】常時は、歯科治療用ハンドピース４をインスツルメントホルダー６上に横置に載置し、使用時、該ハンドピース４をインスツルメントホルダー６から引き出して歯科治療を行う。インスツルメント４をインスツルメントホルダー６から引き出そうとした時に、モータ１０が回転して駆動ローラ１１が回転し、インスツルメントホース３を所定量繰り出し歯科治療を行う。ハンドピース４を上方に上げるとモータ１０が逆転してインスツルメント４を引き戻し、インスツルメントホルダー６に載置する。検出用ローラ１３がインスツルメントホース３の上方に接し、ばね１４にてインスツルメントホース３に押圧されている。ハンドピース４を上方に持ち上げると検出用ローラ１３が所定量上方に持ち上げられ、モータ１０を逆回転させ、インスツルメント４をインスツルメントホルダー６上に戻す。【選択図】        図１
2004194724.tif 000002
【特許請求の範囲】
【請求項１】
常時は、歯科治療用ハンドピースをインスツルメントホルダー上に横置に載置し、使用時、該ハンドピースを前記インスツルメントホルダーから引き出して歯科治療を行う歯科治療用インスツルメントホルダーにおいて、前記インスツルメントが接続されているインスツルメントホースを繰り出し、繰り出したインスツルメントホースを引き戻す駆動ローラを具備し、前記インスツルメントを前記インスツルメントホルダーから引き出そうとした時に、前記駆動ローラが回転して前記インスツルメントホースを所定量繰り出し、繰り出した後、前記ハンドピースを上方に上げると前記駆動ローラを逆転して前記繰り出したインスツルメントを引き戻し、前記ハンドピースを前記インスツルメントホルダーに載置するようにしたことを特徴とする歯科治療用インスツルメントホルダー。
【請求項２】
前記インスツルメントホースの上方に接し、該インスツルメントホースに対してばね圧にて押圧されている検出用ローラを有し、前記ハンドピースが上方に持ち上げられて該検出用ローラが所定量上方に持ち上げられた時に、前記駆動モータを逆回転させるようにしたことを特徴とする請求項１に記載の歯科治療用インスツルメントホルダー。
【発明の詳細な説明】
【０００１】
【発明の属する技術分野】
本発明は、歯科治療用インスツルメントホルダー、より詳細には、常時は、歯科治療用ハンドピースを横置（水平から約４５゜までの所望角度）に載置しているインスツルメントホルダーから引き出して使用している時（歯科治療している時）に、該ハンドピース（インスツルメント）が接続されているインスツルメントホースの自重による引き戻し力が術者の手にかからないようにして、術者の手首にかかる負担を軽くするようにした歯科治療用インスツルメントホルダーに関する。
【０００２】
【従来の技術】
図２は、本発明が適用される歯科用インスツルメントホースを備えた歯科用ユニットの一例を説明するための要部構成図で、図中、１はワークテーブル、２は該ワークテーブル１を移動自在に支持するアームで、該アーム２の図示しない端部は、周知のように、例えば、歯科治療ユニット本体に関節等を介して連結され、ワークテーブル１を水平に維持するもので、上、下、左、右の所定位置に移動可能に支持している。３はインスツルメントホース、４は該インスツルメントホース３の一端に取り付けられた歯科用インスツルメント（ハンドピース）、５は該インスツルメントホース３の他端に取り付けられたジョイントで、該ジョイント５によって、例えば、ワークテーブル１に設けられたジョイント受けに着脱自在に連結可能になっている。６はインスツルメント４を挿脱自在に載置するインスツルメントホルダーで、インスツルメント（ハンドピース）４は、通常は、該インスツルメントホルダー６に載置されており、使用時、該インスツルメントホルダー６から引き出して使用する。
【０００３】
歯科用インスツルメント４は、モータエンジン又はエアータービン等により回転駆動され、これらの回転駆動機構に動力を与える電気、又は、空気源等の導通路がインスツルメントに接続されたインスツルメントホース３内に納められ、前記回転駆動機構に接続されている。また、インスツルメントホース３内には、動力源以外の患部照明用の電源線又は光ファイバー、洗浄水の水路等が収納されている。歯科治療台のワークテーブル１には、インスツルメントホルダー６が取り付けられており、該インスツルメントホルダー６には施術に必要なインスツルメント４が複数本水平に納められている。
【０００４】
従来、治療目的に応じて選ばれたインスツルメントが装着されたインスツルメントホース３には、途中に錘り７が取りつけられており、この錘り７によりインスツルメントホース３は、ワークテーブル１とインスツルメントホルダー６との間に垂れ下がった状態で取り付けられており、施術後、インスツルメント４をインスツルメントホルダー６の所定の位置に戻す時、インスツルメントホース３に取り付けられた錘り７により、インスツルメント４をインスツルメントホルダー６の所定位置に戻すための力が与えられるようになっている。
【０００５】
【発明が解決しようとする課題】
上述のごとくして、インスツルメントホルダー６上に横置に載置されたインスツルメント（ハンドピース）４を使用するには、インスツルメント４をインスツルメントホルダー６より引き出して使用するが、使用中、インスツルメントホース３及び錘り７により、インスツルメント４を引き戻そうとする力が働き、術者は、この引き戻そうとする力に抗してインスツルメント４を保持しながら施術をしなければならず、これが、精密な作業を行う術者の手首に大きな負担としてかかっていた。
【０００６】
本発明は、上述のごとき術者の手首にかかる負担をなくして、術者の疲れを軽減することを目的としてなされたものである。
【０００７】
【課題を解決するための手段】
請求項１の発明は、常時は、歯科治療用ハンドピースをインスツルメントホルダー上に横置（水平から約４５゜までの所望の角度）に載置し、使用時、該ハンドピースを前記インスツルメントホルダーから引き出して歯科治療を行う歯科治療用インスツルメントホルダーにおいて、前記インスツルメントが接続されているインスツルメントホースを繰り出し、繰り出したインスツルメントホースを引き戻す駆動ローラを具備し、前記インスツルメントを前記インスツルメントホルダーから引き出そうとした時に、前記駆動ローラが回転して前記インスツルメントホースを所定量繰り出し、繰り出した後、前記ハンドピースを上方に上げると前記駆動ローラを逆転して前記繰り出したインスツルメントを引き戻し、前記ハンドピースを前記インスツルメントホルダーに載置するようにしたことを特徴としたものである。
【０００８】
請求項２の発明は、請求項１の発明において、前記インスツルメントホースの上方に接し、該インスツルメントホースに対してばね圧にて押圧されている検出用ローラを有し、前記ハンドピースが上方に持ち上げられて該検出用ローラが所定量上方に持ち上げられた時に、前記駆動モータを逆回転させるようにしたことを特徴としたものである。
【０００９】
【発明の実施の形態】
図１は、本発明による歯科用インスツルメントホルダーの一実施例を説明するための要部概略構成図で、図中、図２に示した従来技術と同称の作用する部分には、図２の場合と同一の参照番号が付してある。図１において、１０はモータ、１１は該モータ１０によって正逆回転される駆動ローラ、１２は該駆動ローラ１１に対向して配設された固定ローラで、該固定ローラ１２と前記駆動ローラ１１でインスツルメントホース３を狭持し、モータ１０を正転又は逆転することで、インスツルメント３を矢印Ａ方向に繰り出し、或いは、矢印Ｂ方向に引き戻す。１３はインスツルメントホース３の上方に接する検出用ローラで、該検出用ローラ１３は、ばね１４により常時下方に押され、インスツルメントホース３に接している。ローラ１５は、インスツルメントホース３の下側にあって、前記固定ローラ１２と協働して前記検出用ローラ１３に働く下向きの力に抗して、該検出用ローラ１３をインスツルメントホース３に常時接するように保持する固定ローラである。
【００１０】
インスツルメントホルダー６には、一般的には、該インスツルメントホルダー６上のインスツルメント（ハンドピース）４を検知するセンサが設けられており、インスツルメントホルダー６より所望のインスツルメント４を取り出そうとすると、該センサが働いて、当該インスツルメントに対する電気回路、水回路、エアー回路等が準備され、図示しないフットスイッチを操作することにより、当該インスツルメント（例えば、マイクロエンジン）が駆動、制御されるようになっている。
【００１１】
上述のごときセンサは、インスツルメントホルダー６上のインスツルメント４を引き出そうとすると作動するので、該センサが作動（オン）した時に、前記モータ１０を正回転させると、インスツルメントホース３は矢印Ａ方向に繰り出され、所定長さ繰り出された時点で（モータ１０が駆動されて所定時間経過後、又は、モータ１０が所定回転数回転された後）、モータ１０は停止される。従来、インスツルメント４をインスツルメントホルダー６から引き出すには、術者がインスツルメント４を持ち、術者の力で引き出すようにしていたが、このように、モータの力で引き出すようにすると、インスツルメント４をインスツルメントホルダー６から引き出した時に術者の手首にかかる負担をなくすことができる。
【００１２】
その後、術者は、上述のようにして、インスツルメントホース３が所定量繰り出された状態で、歯科治療を行うが、その間、インスツルメントホース３は、駆動ローラ１１と対向固定ローラ１２によって挟持されているので、インスツルメント（ハンドピース）４には、該インスツルメント４を引き戻そうと力は働かず、その分、術者の手首にかかる負担が軽くなり、治療作業が非常にしやすくなり、術者の疲れを軽減することができる。
【００１３】
インスツルメント４をインスツルメントホルダー６に戻す時は、図１中に破線にて示すように、インスツルメント４を上に持ち上げるとインスツルメントホース３が上方に変位し、それに従って検出用ローラ１３がばね１４に抗して上方へ移動して例えば１３’の位置となるので、この移動を検出してモータ１０を逆回転させると、インスツルメントホース３は矢印Ｂ方向に引き戻され、インスツルメント４をインスツルメントホルダー６上に戻すことができる。
【００１４】
なお、以上には、インスツルメント４をインスツルメントホルダー６から取り出す時の検知をインスツルメントホルダー６上に配設されたセンサを用いて検知する例を示したが、その他に、ハンドピース４に操作スイッチを設けておき、該操作スイッチをオン・オフすることによってインスツルメントホース３を引き出し、或いは、引き戻すようにすることも可能である。
【００１５】
【発明の効果】
以上の説明から明らかなように、本発明によると、術者は、施術中、インスツルメントホースの重さ（引き戻し力）を手首に感じることなく治療作業を行うことができ、精密な治療作業をより正確に行うことができ、また、インスツルメントの出し入れもスムーズに行うことができる。
【図面の簡単な説明】
【図１】本発明によるインスツルメントホルダーの一実施例を説明するための要部概略構成図である。
【図２】本発明が適用される一例としてのインスツルメントホルダーの概略を説明するための構成図である。
【符号の説明】
３…インスツルメントホース、４…インスツルメント、６…インスツルメントホルダー、１０…モータ、１１…駆動ローラ、１２…固定ローラ、１３…検出用ローラ、１４…ばね、１５…固定ローラ。
【図１】
2004194724.tif 000003
【図２】
2004194724.tif 000004